(57)【特許請求の範囲】
【請求項１】
ワイヤレス通信ネットワークにおいて情報を送信する方法であって、
パイロットを介して搬送するための第１の情報を決定することと、
基準時間についての第２の情報を決定することと、
前記第１および第２の情報の関数に基づいて、前記パイロットを送信するために使用するための、各スロットサイクルにスロット一つずつの、スロットのシーケンスを決定することと、
前記決定されたスロットのシーケンス中で前記パイロットを送信することと、
を備える方法。
【請求項２】
前記第１の情報は、前記パイロットを送信するセクタのセクタ識別情報（ＩＤ）を備える、請求項１に記載の方法。
【請求項３】
前記パイロットは、各パイロットサイクルにおいて送信され、前記第２の情報は、パイロットサイクルインデックスを備える、請求項２に記載の方法。
【請求項４】
前記パイロットを送信するために使用するための前記スロットのシーケンスは、前記パイロットを送信するセクタに割り当てられる擬似乱数（ＰＮ）オフセットにさらに基づいて決定される、請求項１に記載の方法。
【請求項５】
前記パイロットを送信するために使用するための前記スロットのシーケンスを前記決定することは、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択することを備える、請求項３に記載の方法。
【請求項６】
前記第１の情報を複数の部分に分割することをさらに備え、
前記パイロットを送信するために使用するための前記スロットのシーケンスを前記決定することは、前記第１の情報の前記複数の部分に基づいて、前記パイロットを送信するために使用するためのスロットの複数のセットを決定することを備え、前記第１の情報の各部分に対してスロットのセットが１つあり、前記パイロットを前記送信することは、スロットの前記複数のセット中で前記パイロットを送信することを備える、
請求項１に記載の方法。
【請求項７】
前記第１の情報は、前記パイロットを送信するセクタのセクタ識別情報（ＩＤ）を備え、前記第１の情報の各部分は、前記セクタＩＤの異なる部分を備える、請求項６に記載の方法。
【請求項８】
前記セクタＩＤを、第１の部分と第２の部分とを備える複数の部分に分割することをさらに備え、前記第１の部分は、前記セクタＩＤのＭ個の最下位ビット（ＬＳＢ）を備え、前記第２の部分は、前記セクタＩＤのＭ個のより上位のビットを備え、Ｍが１よりも大きい整数であり、
前記パイロットを送信するために使用するための前記スロットのシーケンスを前記決定することは、
前記セクタＩＤの前記第１の部分と前記パイロットサイクルインデックスとに基づいて、パイロットサイクルの第１のセットにおいて前記パイロットを送信するために使用するためのスロットの第１のセットを決定することと、
前記セクタＩＤの前記第２の部分と前記パイロットサイクルインデックスとに基づいて、パイロットサイクルの第２のセットにおいて前記パイロットを送信するために使用するためのスロットの第２のセットを決定することと、
を備え、
前記パイロットを前記送信することは、
パイロットサイクルの前記第１のセットにおけるスロットの前記第１のセット中で前記パイロットを送信することと、
パイロットサイクルの前記第２のセットにおけるスロットの前記第２のセット中で前記パイロットを送信することと、
を備える、請求項３に記載の方法。
【請求項９】
前記パイロットは、高度に検出可能なパイロット（ＨＤＰ）を備え、前記方法は、
前記ＨＤＰよりも小さいカバレージを有する共通パイロットを送信することをさらに備える、請求項１に記載の方法。
【請求項１０】
ワイヤレス通信のための装置であって、
パイロットを介して搬送するための第１の情報を決定するための手段と、
基準時間についての第２の情報を決定するための手段と、
前記第１および第２の情報の関数に基づいて、前記パイロットを送信するために使用するための、各スロットサイクルにスロット一つずつの、スロットのシーケンスを決定するための手段と、
前記決定されたスロットのシーケンス中で前記パイロットを送信するための手段と、
を備える装置。
【請求項１１】
前記第１の情報は、前記パイロットを送信するセクタのセクタ識別情報（ＩＤ）を備え、前記パイロットは、各パイロットサイクルにおいて送信され、前記第２の情報は、パイロットサイクルインデックスを備える、請求項１０に記載の装置。
【請求項１２】
前記パイロットを送信するために使用するための前記スロットのシーケンスを決定するための前記手段は、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択するための手段を備える、請求項１１に記載の装置。
【請求項１３】
前記第１の情報を複数の部分に分割するための手段をさらに備え、
前記パイロットを送信するために使用するための前記スロットのシーケンスを決定するための前記手段は、前記第１の情報の前記複数の部分に基づいて、前記パイロットを送信するために使用するスロットの複数のセットを決定するための手段を備え、前記第１の情報の各部分に対してスロットのセットが１つあり、
前記パイロットを送信するための前記手段は、スロットの前記複数のセット中で前記パイロットを送信するための手段を備える、
請求項１０に記載の装置。
【請求項１４】
ワイヤレス通信のための装置であって、
パイロットを介して搬送するための第１の情報を決定することと、基準時間についての第２の情報を決定することと、前記第１および第２の情報の関数に基づいて、前記パイロットを送信するために使用するための、各スロットサイクルにスロット一つずつの、スロットのシーケンスを決定することと、前記決定されたスロットのシーケンス中で前記パイロットを送信することと、を行うように構成された少なくとも１つのプロセッサ、
を備える装置。
【請求項１５】
前記少なくとも１つのプロセッサは、前記パイロットを送信するために使用するためのスロットを決定することと、前記決定されたスロット中で前記パイロットを送信することと、を行うように構成される、請求項１４に記載の装置。
【請求項１６】
前記第１の情報は、前記パイロットを送信するセクタのセクタ識別情報（ＩＤ）を備え、前記パイロットは、各パイロットサイクルにおいて送信され、前記第２の情報は、パイロットサイクルインデックスを備える、請求項１４に記載の装置。
【請求項１７】
前記少なくとも１つのプロセッサは、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択するように構成される、請求項１６に記載の装置。
【請求項１８】
前記少なくとも１つのプロセッサは、前記第１の情報を複数の部分に分割することと、前記第１の情報の前記複数の部分に基づいて、前記第１の情報の各部分に対してスロットのセットが１つある前記パイロットを送信するために使用するためのスロットの複数のセットを決定することと、スロットの前記複数のセット中で前記パイロットを送信することと、を行うように構成される、請求項１４に記載の装置。
【請求項１９】
パイロットを介して搬送するための第１の情報を決定することを少なくとも１つのコンピュータに行わせるためのコードと、
基準時間についての第２の情報を決定することを前記少なくとも１つのコンピュータに行わせるためのコードと、
前記第１および第２の情報の関数に基づいて、前記パイロットを送信するために使用するための、各スロットサイクルにスロット一つずつの、スロットのシーケンスを決定することを前記少なくとも１つのコンピュータに行わせるためのコードと、
前記決定されたスロットのシーケンス中で前記パイロットを送信することを前記少なくとも１つのコンピュータに行わせるためのコードと、
を備えるコンピュータプログラム。
【請求項２０】
ワイヤレス通信ネットワークにおいて情報を受信する方法であって、
パイロットを送信するために利用可能なスロット中での前記パイロットの送信を検出することと、
前記パイロットの送信が検出された、各スロットサイクルにスロット一つずつの、スロットのシーケンスを識別することと、
基準時間についての第２の情報と、前記パイロットの前記送信が検出された前記スロットのシーケンスと、に基づいて、前記パイロットを介して搬送された第１の情報を復元することと、
を備える方法。
【請求項２１】
前記第１の情報は、セクタ識別情報（ＩＤ）を備える、請求項２０に記載の方法。
【請求項２２】
前記パイロットの送信は、各パイロットサイクルにおいてセクタによって送信され、前記第２の情報は、パイロットサイクルインデックスを備える、請求項２１に記載の方法。
【請求項２３】
衛星からの信号、またはワイヤレスネットワーク中の基地局からの信号、またはネットワークタイムプロトコル（ＮＴＰ）、に基づいて基準時間の推定値を得ることをさらに備える、
請求項２０に記載の方法。
【請求項２４】
前記パイロットの前記検出された送信に基づいて、セクタに割り当てられる擬似乱数（ＰＮ）オフセットを決定することをさらに備え、
前記第１の情報を前記復元することは、前記ＰＮオフセットにさらに基づいて前記第１の情報を復元することを備える
請求項２０に記載の方法。
【請求項２５】
前記第１の情報を前記復元することは、
潜在的に前記パイロットを送信する候補セクタのリストを決定することと、
各候補セクタのセクタＩＤに基づいて、各候補セクタによって前記パイロットを送信するために使用されるためのスロットを決定することと、
前記パイロットの前記送信が検出された前記スロットと一致しないスロットを使用する候補セクタを除去することと、
前記パイロットの前記送信が検出された前記スロットと一致するスロットを使用する候補セクタを、前記パイロットを送信する検出されたセクタとして与えることと、
を備える、請求項２１に記載の方法。
【請求項２６】
前記ワイヤレスネットワーク中の各セクタは、前記パイロットの送信を生成するために使用される特定の擬似乱数（ＰＮ）オフセットを割り当てられ、前記第１の情報を前記復元することは、
前記パイロットの各検出された送信のＰＮオフセットを決定することと、
前記パイロットの少なくとも１つの送信が検出されたＰＮオフセットごとに、候補セクタのリストを前記決定すること、各候補セクタによって使用されるスロットを前記決定すること、候補セクタを前記除去すること、および候補セクタを前記与えることと、を実行することと、
をさらに備える、請求項２５に記載の方法。
【請求項２７】
前記パイロットの送信は、各パイロットサイクルにおいてセクタによって送信され、各候補セクタによって使用される前記スロットを前記決定することおよび候補セクタを前記除去することは、各パイロットサイクルにおいて実行され、特定のパイロットサイクルから開始し、前記検出されたセクタが決定されるか、または候補セクタの前記リストが空になるまで、各後続のパイロットサイクルに対して時間的に前方に続く、請求項２５に記載の方法。
【請求項２８】
前記パイロットの送信は、各パイロットサイクルにおいてセクタによって送信され、各候補セクタによって使用される前記スロットを前記決定することおよび候補セクタを前記除去することは、各パイロットサイクルにおいて実行され、特定のパイロットサイクルから開始し、前記検出されたセクタが決定されるか、または候補セクタの前記リストが空になるまで、各前のパイロットサイクルに対して時間的に後方に続く、請求項２５に記載の方法。
【請求項２９】
前記第１の情報を前記復元することは、
前記パイロットを介して潜在的に送信される候補情報ブロックのリストを決定することと、
候補情報ブロックごとに前記パイロットを送信するために使用されるスロットを決定することと、
前記パイロットの前記送信が検出された前記スロットと一致しないスロットを使用する候補情報ブロックを除去することと、
前記パイロットの前記送信が検出された前記スロットと一致するスロットを使用する候補情報ブロックを、前記パイロットを介して送信される検出された情報ブロックとして与えることと、
を備える、請求項２０に記載の方法。
【請求項３０】
前記スロットを前記識別することは、
前記パイロットの送信が検出されたスロットの第１のセットを識別することと、
前記パイロットの送信が検出されたスロットの第２のセットを識別することと、
を備え、
前記第１の情報を前記復元することは、
前記パイロットの前記送信が検出されたスロットの前記第１のセットに基づいて前記第１の情報の第１の部分を決定することと、
前記パイロットの前記送信が検出されたスロットの前記第２のセットに基づいて前記第１の情報の第２の部分を決定することと、
を備える、請求項２０に記載の方法。
【請求項３１】
前記第１の情報は、セクタ識別情報（ＩＤ）を備え、前記第１の情報の各部分は、前記セクタＩＤの異なる部分を備える、請求項３０に記載の方法。
【請求項３２】
前記スロットを前記識別することは、
パイロットサイクルの第１のセットにおいて前記パイロットの送信が検出されたスロットの第１のセットを識別することと、
パイロットサイクルの第２のセットにおいて前記パイロットの送信が検出されたスロットの第２のセットを識別することと、
を備え、
前記第１の情報を前記復元することが、
前記パイロットの前記送信が検出されたスロットの前記第１のセットに基づいて前記セクタＩＤの第１の部分を決定することと、
前記パイロットの前記送信が検出されたスロットの前記第２のセットに基づいて前記セクタＩＤの第２の部分を決定することと、
を備える、請求項２２に記載の方法。
【請求項３３】
前記パイロットは、共通パイロットよりも広いカバレージを有する、高度に検出可能なパイロット（ＨＤＰ）を備える、請求項２０に記載の方法。
【請求項３４】
ワイヤレス通信のための装置であって、
パイロットを送信するために利用可能なスロット中での前記パイロットの送信を検出するための手段と、
前記パイロットの送信が検出された、各スロットサイクルにスロット一つずつの、スロットのシーケンスを識別するための手段と、
基準時間についての第２の情報と、前記パイロットの前記送信が検出された前記スロットのシーケンスと、に基づいて、前記パイロットを介して搬送された第１の情報を復元するための手段と、
を備える装置。
【請求項３５】
前記第１の情報は、セクタ識別情報（ＩＤ）を備え、前記パイロットの送信は、各パイロットサイクルにおいてセクタによって送信され、前記第２の情報は、パイロットサイクルインデックスを備える、請求項３４に記載の装置。
【請求項３６】
前記第１の情報を復元するための前記手段は、
潜在的に前記パイロットを送信する候補セクタのリストを決定するための手段と、
各候補セクタのセクタ識別情報（ＩＤ）に基づいて、前記候補セクタによって前記パイロットを送信するために使用されるスロットを決定するための手段と、
前記パイロットの前記送信が検出された前記スロットと一致しないスロットを使用する候補セクタを除去するための手段と、
前記パイロットの前記送信が検出された前記スロットと一致するスロットを使用する候補セクタを、前記パイロットを送信する検出されたセクタとして与えるための手段と、
を備える、請求項３４に記載の装置。
【請求項３７】
前記スロットを識別するための前記手段は、
前記パイロットの送信が検出されたスロットの第１のセットを識別するための手段と、
前記パイロットの送信が検出されたスロットの第２のセットを識別するための手段と、
を備え、
前記第１の情報を復元するための前記手段は、
前記パイロットの前記送信が検出されたスロットの前記第１のセットに基づいて前記第１の情報の第１の部分を決定するための手段と、
前記パイロットの前記送信が検出されたスロットの前記第２のセットに基づいて前記第１の情報の第２の部分を決定するための手段と、
を備える、請求項３４に記載の装置。
【請求項３８】
ワイヤレス通信のための装置であって、
パイロットを送信するために利用可能なスロット中での前記パイロットの送信を検出することと、前記パイロットの送信が検出された、各スロットサイクルにスロット一つずつの、スロットのシーケンスを識別することと、基準時間についての第２の情報と、前記パイロットの前記送信が検出された前記スロットのシーケンスと、に基づいて、前記パイロットを介して搬送された第１の情報を復元することと、を行うように構成された少なくとも１つのプロセッサ、
を備える装置。
【請求項３９】
前記第１の情報は、セクタ識別情報（ＩＤ）を備え、前記パイロットの送信は、各パイロットサイクルにおいてセクタによって送信され、前記第２の情報は、パイロットサイクルインデックスを備える、請求項３８に記載の装置。
【請求項４０】
前記少なくとも１つのプロセッサは、潜在的に前記パイロットを送信する候補セクタのリストを決定することと、各候補セクタのセクタ識別情報（ＩＤ）に基づいて、前記候補セクタによって前記パイロットを送信するために使用されるスロットを決定することと、前記パイロットの前記送信が検出された前記スロットと一致しないスロットを使用する候補セクタを除去することと、前記パイロットの前記送信が検出された前記スロットと一致するスロットを使用する候補セクタを、前記パイロットを送信する検出されたセクタとして与えることと、を行うように構成される、請求項３８に記載の装置。
【請求項４１】
前記少なくとも１つのプロセッサは、前記パイロットの送信が検出されたスロットの第１のセットを識別することと、前記パイロットの送信が検出されたスロットの第２のセットを識別することと、前記パイロットの前記送信が検出されたスロットの前記第１のセットに基づいて前記第１の情報の第１の部分を決定することと、前記パイロットの前記送信が検出されたスロットの前記第２のセットに基づいて前記第１の情報の第２の部分を決定することと、を行うように構成される、請求項３８に記載の装置。
【請求項４２】
パイロットを送信するために利用可能なスロット中での前記パイロットの送信を検出することを少なくとも１つのコンピュータに行わせるためのコードと、
前記パイロットの送信が検出された、各スロットサイクルにスロット一つずつの、スロットのシーケンスを識別することを前記少なくとも１つのコンピュータに行わせるためのコードと、
基準時間についての第２の情報と、前記パイロットの前記送信が検出された前記スロットのシーケンスと、に基づいて、前記パイロットを介して搬送された第１の情報を復元することを前記少なくとも１つのコンピュータに行わせるためのコードと、
を備えるコンピュータプログラム。
【請求項４３】
ワイヤレス通信ネットワークにおいて情報を受信する方法であって、
パイロットを送信するために利用可能なスロット中での前記パイロットの送信を検出することと、
前記パイロットの送信が検出された、各スロットサイクルにスロット一つずつの、スロットのシーケンスを識別することと、
前記パイロットの各検出された送信の擬似乱数（ＰＮ）オフセットを決定することと、
前記パイロットの少なくとも１つの送信が検出されたＰＮオフセットごとに、前記ＰＮオフセットと、前記パイロットの送信が検出された前記スロットのシーケンスと、前記スロットをカバーするパイロットサイクルのインデックスと、に基づいて、前記パイロットの前記送信を行っている各セクタのセクタ識別情報（ＩＤ）を復元することと、
を備える方法。
【請求項４４】
前記セクタＩＤを前記復元することは、
前記ＰＮオフセットと、前記パイロットの前記送信が検出されたスロットの第１のセットと、スロットの前記第１のセットをカバーするパイロットサイクルの第１のセットのインデックスと、に基づいて、前記セクタＩＤの第１の部分を復元することと、
前記ＰＮオフセットと、前記パイロットの前記送信が検出されたスロットの第２のセットと、スロットの前記第２のセットをカバーするパイロットサイクルの第２のセットのインデックスと、に基づいて、前記セクタＩＤの第２の部分を復元することと、
を備える、請求項４３に記載の方法。
【発明の詳細な説明】
【技術分野】
【０００１】
本出願は、本出願の譲受人に譲渡され、参照により本明細書に組み込まれる、２００８年５月２１日に出願された「SYSTEM AND METHOD TO DETERMINE THE IDENTITY OF A SECTOR FROM A HIGHLY DETECTABLE PILOT RANDOM TRANSIT PATTERN」と題する米国仮出願第６１／０５５，１１７号の優先権を主張する。
【０００２】
本開示は、概して通信に関し、より詳細には、ワイヤレス通信ネットワークにおいて情報を送信および受信するための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：Frequency Division Multiple Access）ネットワーク、直交ＦＤＭＡ（ＯＦＤＭＡ：Orthogonal FDMA）ネットワーク、およびシングルキャリアＦＤＭＡ（ＳＣ−ＦＤＭＡ：Single-Carrier FDMA）ネットワーク、を含む。
【０００４】
ワイヤレス通信ネットワークは、いくつかの端末の通信をサポートすることができるいくつかの基地局を含むことができる。各基地局は、端末がその基地局を検出できるようにするためのパイロットを送信することができる。各基地局はまた、端末がその基地局を識別できるようにするための情報を送信することができる。そのパイロットおよび情報を効率的な方法で送信することが望ましいことがある。
【発明の概要】
【０００５】
ワイヤレス通信ネットワークにおいて情報を送信するための技法が本明細書で説明される。一態様では、情報は、信号たとえばパイロットを送信するために使用される特定のリソースに基づいて搬送され得る。擬似ランダム関数は、その信号を送信するためにどのリソースを使用すべきかを定めるために使用され得る。擬似ランダム関数は、その信号および場合によっては他の情報を介して搬送する情報を受信し、その信号を送信するために使用するべきリソースを選択するために使用され得る擬似ランダム値を与えることができる。
【０００６】
１つの設計では、送信機（たとえば、基地局）は、パイロットを介して搬送する第１の情報を決定し、絶対時間についての第２の情報をも決定することができる。１つの設計では、パイロットは、共通パイロットよりも広いカバレージを有する、高度に検出可能なパイロット（ＨＤＰ：highly detectable pilot）であり得る。第１の情報は、パイロットを送信するセクタのセクタ識別情報（ＩＤ）を備えることができる。パイロットは、各パイロットサイクルにおいて送信され得、第２の情報は、パイロットサイクルインデックスを備えることができる。送信機は、第１および第２の情報に基づいて、パイロットを送信するために使用するリソース（たとえば、スロット）を決定することができる。それらのリソースはまた、擬似乱数（ＰＮ）オフセット、パイロットスクランブリングコード、物理セルＩＤ（ＰＣＩ）、またはセクタに割り当てられる何らかの他のパラメータ、にさらに基づいて決定され得る。送信機は、決定されたリソース中でパイロットを送信することができる。
【０００７】
１つの設計では、受信機（たとえば、端末）が、パイロットを送信するために利用可能なリソース（たとえば、スロット）中でのパイロットの送信を検出することができる。受信機は、パイロットの送信が検出されたリソースを識別することができる。受信機は、絶対時間（たとえば、パイロットサイクルインデックス）についての第２の情報とパイロットの送信が検出されたリソース（たとえば、スロットインデックス）についての第３の情報とに基づいて、パイロットを介して搬送された第１の情報を復元することができる。
【０００８】
本開示の様々な態様および特徴は、以下でさらに詳細に説明される。
【図面の簡単な説明】
【０００９】
【図１】図１は、ワイヤレス通信ネットワークを示す。
【図２】図２は、ＨＤＰの送信構造を示す。
【図３】図３は、１つのセクタによるＨＤＰの送信を示す。
【図４】図４は、１つのセクタによるＨＤＰの複数のインスタンスの送信を示す。
【図５】図５は、１つのセクタのための送信機の一部分のブロック図を示す。
【図６】図６は、２つの探索アルゴリズムを用いたＨＤＰ検出を示している。
【図７】図７は、２つの探索アルゴリズムを用いたＨＤＰ検出を示している。
【図８】図８は、情報を送信するためのプロセスを示す。
【図９】図９は、情報を送信するための装置を示す。
【図１０】図１０は、セクタＩＤを送信するためのプロセスを示す。
【図１１】図１１は、情報を受信するためのプロセスを示す。
【図１２】図１２は、情報を受信するための装置を示す。
【図１３】図１３は、セクタＩＤを復元するためのプロセスを示す。
【図１４】図１４は、基地局および端末のブロック図を示す。
【発明を実施するための形態】
【００１０】
本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、ｃｄｍａ２０００、ユニバーサル地上無線アクセス（ＵＴＲＡ：Universal Terrestrial Radio Access）などの無線技術を実装し得る。ｃｄｍａ２０００は、ＩＳ−２０００、ＩＳ−９５およびＩＳ−８５６規格をカバーする。ＩＳ−２０００リリース０およびＡは、通常、ＣＤＭＡ２０００  １Ｘ、１Ｘなどと呼ばれる。ＩＳ−８５６は、通常、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ：Wideband CDMA）およびＣＤＭＡの他の変形態を含む。ＴＤＭＡネットワークは、移動体通信用グローバルシステム（ＧＳＭ（登録商標）：Global System for Mobile Communications）などの無線技術を実装し得る。ＯＦＤＭＡネットワークは、ウルトラモバイルブロードバンド（ＵＭＢ：Ultra Mobile Broadband）、進化型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡはユニバーサル移動体通信システム（ＵＭＴＳ：Universal Mobile Telecommunication System）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）という名称の組織からの文書に記載されている。ｃｄｍａ２０００およびＵＭＢは、「第３世代パートナーシッププロジェクト２」（３ＧＰＰ２：3rd Generation Partnership Project 2）という名称の組織からの文書に記載されている。本明細書で説明される技法は、上記のワイヤレスネットワークおよび無線技術、ならびに他のワイヤレスネットワークおよび無線技術に使用され得る。明快のために、本技法のいくつかの態様は、以下ではＨＲＰＤに関して説明され、ＨＲＰＤ用語が以下の説明の大部分で使用される。
【００１１】
図１は、複数の基地局１１０をもつワイヤレス通信ネットワーク１００を示す。基地局は、端末と通信する局であり得、アクセスポイント、Ｎｏｄｅ  Ｂ、進化型Ｎｏｄｅ  Ｂ（ｅＮＢ）などと呼ばれることもある。各基地局１１０は、特定の地理的エリアに通信カバレージを与えることができる。３ＧＰＰにおいて、「セル」という用語は、この用語が使用される状況に応じて、あるカバレージエリアにサービスしている基地局および／または基地局サブシステムの、このカバレージエリアを指すことがある。３ＧＰＰ２において、「セクタ」または「セルセクタ」という用語は、あるカバレージエリアにサービスしている基地局および／または基地局サブシステムの、このカバレージエリアを指すことがある。明快のために、３ＧＰＰ２の概念「セクタ」が、以下の説明で使用される。基地局は、１つまたは複数の（たとえば、３つの）セクタをサポートすることができる。
【００１２】
ワイヤレスネットワーク１００は、１つのタイプの基地局、たとえば、マクロ基地局のみを含む同種ネットワークであり得る。ワイヤレスネットワーク１００はまた、様々なタイプの基地局、たとえば、マクロ、ピコ、および／またはフェムト基地局を含む異種ネットワークであり得る。マクロ基地局は、比較的大きい地理的エリア（たとえば、半径数キロメートル）をカバーすることができ、サービスに加入している端末による無制限のアクセスを可能にすることができる。ピコ基地局は、比較的小さい地理的エリアをカバーすることができ、サービスに加入している端末による無制限のアクセスを可能にすることができる。フェムトまたはホーム基地局は、比較的小さい地理的エリア（たとえば、家庭）をカバーすることができ、フェムトセルとの関連を有する端末（たとえば、家庭中のユーザ用の端末）による限定アクセスを可能にすることができる。ワイヤレスネットワーク１００は、中継局をも含むことができる。本明細書で説明される技法は、同種ネットワークと異種ネットワークの両方に使用され得る。ネットワークコントローラ１３０が、基地局のセットに結合し、基地局の調整および制御を行うことができる。
【００１３】
端末１２０は、ワイヤレスネットワーク１００全体にわたって分散され得、各端末は、固定でも移動でもよい。端末は、移動局、ユーザ機器（ＵＥ）、加入者ユニット、局などと呼ばれることもある。端末は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであり得る。端末は、順方向および逆方向リンクを介して基地局と通信することができる。順方向リンク（またはダウンリンク）とは、基地局から端末への通信リンクを指し、逆方向リンク（またはアップリンク）とは、端末から基地局への通信リンクを指す。図１において、単一の矢印をもつ実線は、端末がサービングセクタからデータ送信を受信していることを示し、単一の矢印をもつ破線は、端末がセクタからパイロットを受信していることを示す。逆方向リンク送信は、図１に示されていない。端末はまた、基地局として、たとえば、ピコまたはフェムト基地局として動作することができる。端末はまた、基地局とともに配置されるか、または基地局に一体化され得る。
【００１４】
ワイヤレスネットワーク１１０中の各セクタは、セクタ検出、時間同期、チャネル推定などのために端末によって使用され得る共通パイロットを送信することができる。パイロットは、送信機および受信機によってアプリオリに知られている信号または送信である。パイロットは、基準信号、プリアンブルなどと呼ばれることもある。共通パイロットは、すべての端末に送信されるパイロットである。各セクタはまた、共通パイロットよりも広いカバレージおよび良好な可聴性（hearability）を有することができる、高度に検出可能なパイロット（ＨＤＰ）を送信することができる。端末は、これらのセクタによって送信されるＨＤＰに基づいて、より遠くに離れているセクタを検出することが可能であり得る。
【００１５】
各セクタは、ＰＮ系列を用いてその送信をスペクトルで拡散することができる。ワイヤレスネットワーク中すべてのセクタは、拡散のために同じＰＮ系列を使用することができる。ただし、隣接セクタは、端末がこれらのセクタを区別できるようにするために、ＰＮ系列の様々なオフセットを割り当てられ得る。たとえば、ＨＲＰＤにおいて、各セクタは、５１２の可能なＰＮオフセットのうちの１つを割り当てられ得、割り当てられたＰＮオフセットは、９ビット値によって与えられ得、ＰｉｌｏｔＰＮ、ｓｅｅｄＰＮ、セクタＰＮなどと呼ばれることがある。ワイヤレスネットワークは、５１２を超えるセクタを含むことがあるので、セクタは、そのＰｉｌｏｔＰＮによって一意に識別されないことがある。他のワイヤレスネットワークでは、各セクタまたはセルは、パイロットスクランブリングコード、物理セルＩＤ、または何らかの他のパラメータを割り当てられることがある。明快のために、以下の説明では、各セクタが特定のＰｉｌｏｔＰＮを割り当てられると仮定する。
【００１６】
各セクタは、特定のＰｉｌｏｔＰＮに加えて一意のセクタＩＤ（ＳｅｃｔｏｒＩＤ）をも割り当てられることがある。たとえば、ＨＲＰＤにおいて、各セクタは、そのセクタを一意に識別することができる３２ビットＳｅｃｔｏｒＩＤを割り当てられることがある。フェムトセクタの場合、ＳｅｃｔｏｒＩＤは、セクタに割り当てられる３２ビットＩＰｖ４アドレスであり得る。セクタは、そのＰＮ系列に基づいてそのＨＤＰを生成することができる。また、端末がセクタを検出し識別できるようにするために、ＨＤＰ中でＳｅｃｔｏｒＩＤを搬送することが望ましいことがある。
【００１７】
一態様では、情報（たとえば、セクタＩＤ）は、信号（たとえば、ＨＤＰ）を送信するために使用される特定のリソース（たとえば、スロット）に基づいて搬送され得る。擬似ランダム関数は、その信号を送信するためにどのリソースを使用すべきかを決定するために使用され得る。擬似ランダム関数は、（ｉ）その信号および場合によっては他の情報を介して搬送する情報を受信し、（ｉｉ）その信号を送信するために使用するリソースを選択するために使用され得る擬似ランダム値を与えることができる。
【００１８】
図２は、ＨＲＰＤにおけるＨＤＰの送信構造の設計を示す。順方向リンクの送信タイムラインは、それぞれ１．６６７ミリ秒（ｍｓ）の継続時間を有するスロット単位に分割され得る。スロットは、タイムスロット、サブフレーム、フレームなどと呼ばれることもある。この送信タイムラインはまた、連続的に増加するインデックスをもつパイロットサイクルに分割され得る。各パイロットサイクルは、インデックス０〜Ｎ−１をもつＮ個のスロットをカバーすることができ、ここで、Ｎは７６８、２３０４、または何らかの他の値に等しいものであり得る。各パイロットサイクルにおいて、インデックスｔ０、ｔ１、…、ｔ８をもつ９つのスロットは、ＨＤＰを送信するために利用可能であることができ、ＨＤＰスロットと呼ばれることがある。９つのＨＤＰスロットｔ０〜ｔ８は、Ｎの値に依存するものであり得、基地局および端末によって知られている。
【００１９】
セクタは、各パイロットサイクルにおける１つのＨＤＰスロット中でそのＨＤＰを送信することができる。１つの設計では、セクタは、次のような擬似ランダム関数に基づいて各パイロットサイクルにおける１つのＨＤＰスロットを選択することができる：
x ＝ f (PilotPN, SectorID, Time)                        式（１）
上式で、Ｔｉｍｅは、絶対時間を示し、
ｆ（  ）は、擬似ランダム関数を示し、
ｘ∈｛０、…、８｝は、選択されたＨＤＰスロットを決定するランダム整数である。
【００２０】
ランダム整数ｘは、擬似ランダム性質を有することができ、擬似ランダム関数に基づいて生成され得る。
【００２１】
１つの設計では、Ｔｉｍｅは、パイロットサイクルインデックスｓ（pilot cycle index s）によって与えられ得る。その場合、式（１）は次のように表され得る：
x(s) ＝ f (PilotPN, SectorID, Pilot Cycle Index s)        式（２）
上式で、ｘ（ｓ）は、パイロットサイクルｓにおいて選択されたＨＤＰスロットを決定するランダム整数である。ＨＤＰを送信するために使用されるＨＤＰスロットのシーケンスは、ＨＤＰのランダム送信パターンと呼ばれることがある。
【００２２】
ｘ（ｓ）の９つの可能な値は、１対１のマッピングに基づいて各パイロットサイクルにおける９つの利用可能なＨＤＰスロットにマッピングされ得る。セクタは、そのＨＤＰを、ｘ＝０の場合はスロットｔ０中で、ｘ＝１の場合はスロットｔ１中で、などで、送信することができる。
【００２３】
一般に、この擬似ランダム関数は、ＨＤＰ中で搬送する任意の情報についてのパラメータの任意のセットを受信することができる。さらに、擬似ランダム関数は、パラメータごとに任意のビット数を受信することができる。１つの設計では、擬似ランダム関数は、以下のパラメータを受信することができる：
・ＰｉｌｏｔＰＮの９ビット
・ＳｅｃｔｏｒＩＤの８最下位ビット（ＬＳＢ）、および
・パイロットサイクルインデックスの１５ＬＳＢ。
【００２４】
擬似ランダム関数はまた、パラメータごとに、より少ないまたはより多くのビットを受信することができる。たとえば、擬似ランダム関数は、ＰｉｌｏｔＰＮの９ビット、ＳｅｃｔｏｒＩＤの７ＬＳＢ、およびパイロットサイクルインデックスの１６ＬＳＢを受信することができる。擬似ランダム関数への入力ビットの所与の総数に対して、パイロットサイクルインデックスのビット数を低減することによって、より多くのビットがＳｅｃｔｏｒＩＤについて送信され得る。たとえば、パイロットサイクルインデックスのビット数を１３に低減することによって、最高１０ビットがＳｅｃｔｏｒＩＤについて送信され得る。ただし、時間についてのビット数は擬似ランダム関数の周期性を決定するので、時間についてのビット数をそれほど低減しないことが望ましいことがある。擬似ランダム関数は、様々な方法で実装され得る。１つの設計では、Ｎ・ｓ＜Ｔ＜Ｎ・（ｓ＋１）である持続時間Ｔの場合のランダム整数ｘ（ｓ）は、次のように決定され得る：
１．セクタの９ビットＰｉｌｏｔＰＮにｓｅｅｄＰＮを設定し、
２．セクタのＳｅｃｔｏｒＩＤの８ＬＳＢにｓｅｅｄＬＳＢを設定し、
３．３２ビットシードｍ＝［９ビットｓｅｅｄＰＮ、８ビットｓｅｅｄＬＳＢ、ｓの１５ビットＬＳＢ］を計算し、
４．３２ビットシードｍを３２ビットｎ＝（２６５４４３５７１６×ｍ２）ｍｏｄ  ２３２にマッピングし、
５．以下を計算する。
【数１】
0005559155.tif 000002
【００２５】
ここで、
【数２】
0005559155.tif 000003
【００２６】
は床演算子を示す。
【００２７】
擬似ランダム関数は、他の方法でも実装され得る。
【００２８】
図３は、１つのセクタによるＨＤＰの送信の設計を示す。擬似ランダム関数は、式（２）に示すように、セクタのＰｉｌｏｔＰＮおよびＳｅｃｔｏｒＩＤ、ならびに時間についてのパイロットサイクルインデックスを受信することができる。パイロットサイクルｓにおいて、擬似ランダム関数は、値ｘ（ｓ）を出力することができ、セクタは、スロットｔｘ（ｓ）中でＨＤＰを送信することができる。次のパイロットサイクルｓ＋１において、擬似ランダム関数は、値ｘ（ｓ＋１）を出力することができ、セクタは、スロットｔｘ（ｓ＋１）中でＨＤＰを送信することができる。後続のパイロットサイクルｓ＋２において、擬似ランダム関数は、値ｘ（ｓ＋２）を出力することができ、セクタは、スロットｔｘ（ｓ＋２）中でＨＤＰを送信することができる。セクタは、各後続のパイロットサイクルにおいて同様の方法でＨＤＰを送信することができる。
【００２９】
ＨＤＰ中でより多くの情報および／またはより多くの情報ビットを送信することは、ＨＤＰから情報を復元するために端末によって必要とされる時間量を（および処理量をも）大幅に拡大することがある。１つの設計では、セクタは、情報を複数の部分に分割することによって、ＨＤＰ中でより多くの情報を送信することができる。その場合、セクタは、ＨＤＰの別個のインスタンスを介して情報の各部分を送信することができる。
【００３０】
図４は、１つのセクタによるＨＤＰの複数のインスタンスの送信の設計を示す。この設計では、ＳｅｃｔｏｒＩＤは、２つの部分に分割され得る。第１の部分は、ＳｅｃｔｏｒＩＤの８ＬＳＢを含むことができ、第２の部分は、ＳｅｃｔｏｒＩＤの第９〜第１６のＬＳＢを含むことができる。ＳｅｃｔｏｒＩＤの第１の部分は、偶数のインデックスをもつパイロットサイクルにおけるＨＤＰの第１のインスタンス中で送信され得る。ＳｅｃｔｏｒＩＤの第２の部分は、奇数のインデックスをもつパイロットサイクルにおけるＨＤＰの第２のインスタンス中で送信され得る。偶数のインデックスをもつ各パイロットサイクルにおいて、擬似ランダム関数は、ＳｅｃｔｏｒＩＤの第１の部分、ＰｉｌｏｔＰＮ、およびパイロットサイクルインデックスを受信し得、そのパイロットサイクルのために選択されたＨＤＰスロットを決定するランダム整数を出力することができる。奇数のインデックスをもつ各パイロットサイクルにおいては、擬似ランダム関数は、ＳｅｃｔｏｒＩＤの第２の部分、ＰｉｌｏｔＰＮ、およびパイロットサイクルインデックスを受信し得、そのパイロットサイクルのために選択されたＨＤＰスロットを決定するランダム整数を出力することができる。
【００３１】
第１のＨＤＰインスタンスは、偶数のインデックスをもつパイロットサイクルにおいて送信され得、ＳｅｃｔｏｒＩＤの第１の部分を搬送することができる。第２のＨＤＰインスタンスは、奇数のインデックスをもつパイロットサイクルにおいて送信され得、ＳｅｃｔｏｒＩＤの第２の部分を搬送することができる。ＨＤＰインスタンスごとに、擬似ランダム関数は、そのＨＤＰインスタンスを介して搬送するＳｅｃｔｏｒＩＤの部分のみを受信することができる。それらの２つのＨＤＰインスタンスが交互のパイロットサイクルにおいて送信されるので、図４におけるＨＤＰのオーバーヘッドは、図３におけるＨＤＰのオーバーヘッドと同じである。
【００３２】
端末は、偶数のインデックスをもつパイロットサイクルにおいて送信される第１のＨＤＰインスタンスからＳｅｃｔｏｒＩＤの第１の部分を復元することができる。端末は、奇数のインデックスをもつパイロットサイクルにおいて送信される第２のＨＤＰインスタンスからＳｅｃｔｏｒＩＤの第２の部分を復元することができる。したがって、端末は、セクタによって送信される２つのＨＤＰインスタンスからＳｅｃｔｏｒＩＤの第１および第２の部分を独立して復元することができる。
【００３３】
ＳｅｃｔｏｒＩＤを２つの部分に分割し、各部分を別個のＨＤＰインスタンス中で送信することは、端末における検出時間と受信機処理の両方を大幅に低減することができる。たとえば、端末は、約５つのパイロットサイクルにおいてＳｅｃｔｏｒＩＤの１つの８ビット部分を検出することが可能であり得、約１０のパイロットサイクルにおいてＳｅｃｔｏｒＩＤの両方の８ビット部分を復元することが可能であり得る。ＳｅｃｔｏｒＩＤのすべての１６ＬＳＢが１つのＨＤＰインスタンス中で送信された場合、端末は、約４１のパイロットサイクルにおいてその１６ＬＳＢを復元することが可能であり得る。したがって、検出時間は、ＳｅｃｔｏｒＩＤを２つの部分に分割することによって、約４分の１に低減され得る。
【００３４】
図４は、ＳｅｃｔｏｒＩＤの２つの部分が２つのＨＤＰインスタンスを介して搬送される設計を示している。ＳｅｃｔｏｒＩＤはまた、２つよりも多くの部分に分割され得る。たとえば、ＳｅｃｔｏｒＩＤの３２のビットは、各部分がＳｅｃｔｏｒＩＤの８ビットを含む、４つの部分に分割され得る。ＳｅｃｔｏｒＩＤの４つの部分は、４つのＨＤＰインスタンスを介して搬送され得る。各ＨＤＰインスタンスは、パイロットサイクルのそれぞれのセットにおいて送信され得る。ＳｅｃｔｏｒＩＤについて送信するための総ビット数は、ＨＤＰによって一意に識別されるべきセクタの総数に依存するものであり得る。次に、セクタの総数は、そのワイヤレスネットワークのサイズに、すなわち、ワイヤレスネットワークがピコおよびフェムト基地局、ならびにマクロ基地局などを含むかどうかに、依存するものであり得る。
【００３５】
一般に、ＨＤＰを介して搬送するための情報（たとえば、ＳｅｃｔｏｒＩＤ）は、Ｋ個の部分に分割され得、ここで、Ｋは任意の整数値であり得る。そのＫ個の部分は、同じまたは異なる数の情報ビットを含むことができる。そのＫ個の部分は、各ＨＤＰインスタンス中に１つの部分があるＫ個のＨＤＰインスタンスを介して送信され得る。１つの設計では、Ｋ個のＨＤＰインスタンスは、同じレートで送信され得る。この設計では、ｋ∈｛０、…、Ｋ−１｝の場合、ＨＤＰインスタンスｋは、インデックス（ｓ  ｍｏｄ  Ｋ）＝ｋをもつパイロットサイクルにおいて送信され得る。別の設計では、異なるＨＤＰインスタンスが、異なるレートで送信され得る。たとえば、ＳｅｃｔｏｒＩＤの８ＬＳＢは、端末がより迅速にＳｅｃｔｏｒＩＤの８ＬＳＢを検出できるようにするために、より頻繁に（たとえば、ＳｅｃｔｏｒＩＤの残りのビットよりも２倍以上頻繁に）送信され得る。
【００３６】
図５は、１つのセクタのための送信機５００の一部分の設計のブロック図を示す。送信機５００内で、ユニット５１０は、そのセクタのＰｉｌｏｔＰＮおよびＳｅｃｔｏｒＩＤ、ならびに時間についてのパイロットサイクルインデックスを受信することができる。ユニット５１０は、それらの３つの入力を擬似ランダム関数に適用し、各パイロットサイクルにおいて選択されたＨＤＰスロットを決定することができるランダム整数ｘ（ｓ）を与えることができる。
【００３７】
ＨＤＰ生成器５２０は、ＰｉｌｏｔＰＮを受信することができ、１つのＨＤＰスロット中で送信され得るＨＤＰ送信を生成することができる。ＨＲＰＤの場合、ＨＤＰ送信は、ウォルシュ（Walsh）カバーを用いてあらかじめ定義されたシンボルシーケンス（たとえば、すべて０）をカバーし、得られたビットをスケーリングし、スケーリングされたビットを、ＰｉｌｏｔＰＮによって定義されたオフセットでＰＮ系列を用いて拡散することによって、生成され得る。したがって、ＨＤＰ送信は、ＰｉｌｏｔＰＮのみを搬送することができる。
【００３８】
時分割多重（ＴＤＭ）マルチプレクサ（Ｍｕｘ）５３０は、第１の入力においてはＨＤＰ送信を受信し、第２の入力においては他の送信を受信することができる。他の送信は、共通パイロット、制御情報、データなどを含むことができる。マルチプレクサ５３０は、セクタの各選択されたＨＤＰスロット中ではＨＤＰ送信を与えることができ、非ＨＤＰスロット中では他の送信を与えることができる。マルチプレクサ５３０はまた、各選択されなかったＨＤＰスロット中で共通パイロットおよび制御情報（しかし、ＨＤＰまたはデータはない）を与えることができる。
【００３９】
端末は、各パイロットサイクルの各ＨＤＰスロット中でセクタからのＨＤＰ送信を検出することができる。端末は、所与のＨＤＰスロット中で、０の、１つの、または複数のＨＤＰ送信を検出することができる。検出されたＨＤＰ送信ごとに、端末は、ＨＤＰ送信が検出されたＨＤＰスロット、ならびにＨＤＰ送信を生成するために使用されたＰｉｌｏｔＰＮを確認することができる。端末は、（たとえば、ＧＰＳからの）正確な絶対時間または大まかな絶対時間（たとえば、インターネットを介してネットワークタイムプロトコル（ＮＴＰ：Network Time Protocol）を実行することによって１００ｍｓ内まで）を有することができる。ＨＤＰ送信を検出した後、端末は、ＨＤＰタイミング情報とＮＴＰの組合せに基づいて正確な絶対時間を得ることが可能であり得る。いずれの場合も、端末は、絶対時間とＨＤＰの送信構造とについてのその知識に基づいて、検出されたＨＤＰ送信ごとにパイロットサイクルインデックスを確認することが可能であり得る。端末は、ＳｅｃｔｏｒＩＤを復元するために利用可能な情報のすべてを使用することができる。
【００４０】
式（１）または式（２）に示す擬似ランダム関数の場合、端末は、検出されたＨＤＰ送信ごとに、２つの入力（すなわち、ＰｉｌｏｔＰＮおよびパイロットサイクルインデックス）ならびにその出力（すなわち、ランダム整数ｘ（ｓ））についての知識を有することができる。擬似ランダム関数は多数対単数関数であるので、ｘ（ｓ）の単一の観測値は、ＳｅｃｔｏｒＩＤを一意に決定するものではないだろう。さらに、擬似ランダム関数は、高度に非線形な関数であり得、その逆算は、単にこの関数を実行することよりもはるかに計算的に大変（intensive）であることができる。
【００４１】
端末は、様々な探索アルゴリズムに基づいて、検出されたＨＤＰ送信からＳｅｃｔｏｒＩＤを復元することを試みることができる。第１の探索アルゴリズムでは、端末は、検出されたＰｉｌｏｔＰＮごとにＳｅｃｔｏｒＩＤ候補のリストを維持することができる。それらのＳｅｃｔｏｒＩＤ候補は、ＨＤＰを送信し得る候補セクタのＳｅｃｔｏｒＩＤに対応することができる。端末は、そのＰｉｌｏｔＰＮをもつＨＤＰ送信が検出されたときはいつでも、この候補リストを縮小することができる。
【００４２】
図６は、第１の探索アルゴリズムに基づくＳｅｃｔｏｒＩＤ検出を示す。端末は、パイロットサイクルｓにおけるＨＤＰスロットｚｓ中の特定のＰｉｌｏｔＰＮをもつＨＤＰ送信を検出することができ、ここで、ｚｓ∈｛ｔ０、…、ｔ８｝である。次いで、端末は、各可能なＳｅｃｔｏｒＩＤを候補リスト中に含めるべきか否かを決定するために、そのＳｅｃｔｏｒＩＤを評価することができる。たとえば、端末は、ＳｅｃｔｏｒＩＤの８ＬＳＢがＨＤＰを介して搬送される場合、そのＳｅｃｔｏｒＩＤの２５６の可能なＬＳＢの各々を評価することができる。
【００４３】
可能なＳｅｃｔｏｒＩＤ  ｉごとに、端末は、検出されたＰｉｌｏｔＰＮ、パイロットサイクルｓ、およびＳｅｃｔｏｒＩＤ  ｉを入力として用いた擬似ランダム関数を実行することができる。次いで、端末は、擬似ランダム関数からのランダム整数ｘ（ｓ）を、検出されたＨＤＰスロットｚｓと比較することができる。端末は、ｘ（ｓ）＝ｚｓである場合はＳｅｃｔｏｒＩＤ  ｉを候補リストに入れることができ、他の場合はＳｅｃｔｏｒＩＤ  ｉを廃棄することができる。次のパイロットサイクルｓ＋１において、端末は、ＨＤＰスロットｚｓ＋１中の同じＰｉｌｏｔＰＮをもつＨＤＰ送信を検出することができる。候補リスト中のＳｅｃｔｏｒＩＤ  ｉごとに、端末は、検出されたＰｉｌｏｔＰＮ、パイロットサイクルｓ＋１、およびＳｅｃｔｏｒＩＤ  ｉを入力として用いた擬似ランダム関数を実行することができる。次いで、端末は、擬似ランダム関数からのランダム整数ｘ（ｓ＋１）を、検出されたＨＤＰスロットｚｓ＋１と比較することができる。端末は、ｘ（ｓ＋１）＝ｚｓ＋１である場合は候補リスト中のＳｅｃｔｏｒＩＤ  ｉを保持し得、他の場合はＳｅｃｔｏｒＩＤ  ｉを除去することができる。端末は、同じＰｉｌｏｔＰＮをもつ後続の検出されたＨＤＰ送信ごとに、この処理を反復することができる。候補リストが１つのＳｅｃｔｏｒＩＤに減少したとき、このＳｅｃｔｏｒＩＤは、端末によって検出されたセクタのＳｅｃｔｏｒＩＤとして与えられることができる。
【００４４】
検出されたＨＤＰ送信をもつ各ＨＤＰスロットｚｓは、擬似ランダム関数出力ｘ（ｓ）の観測値と呼ばれることがある。観測値ｚｓごとに、候補リストは、ｚｓに一致しないＳｅｃｔｏｒＩＤ候補を除去するために、剪定（prune）され得る。そのＨＤＰを送信するセクタのＳｅｃｔｏｒＩＤは、十分な数の観測値を用いて識別され得る。
【００４５】
端末は２つのタイプの検出エラー：
・検出失敗（Missed detection）−ＨＤＰ送信が端末によって検出されなかった、
・誤警報（False alarm）−ＨＤＰ送信が間違ったＨＤＰスロット中で検出された、
に遭遇することがある。
【００４６】
上述の第１の探索アルゴリズムの場合、検出失敗が起こったときはいつでも、端末は（どのＳｅｃｔｏｒＩＤ候補をも剪定することなしに）候補リストを単に維持することができるので、検出失敗は、検出パフォーマンスへの小さい影響を有し得る。しかしながら、誤警報は、候補リストからの正しいＳｅｃｔｏｒＩＤの消去を生じ得る。このエラーイベントは、十分な数の観測後に候補リストが０に減少したときに検出され得る。次いで、すべての可能なＳｅｃｔｏｒＩＤ候補を用いて探索が再始動され得る。
【００４７】
第２の探索アルゴリズムでは、端末は、特定のＰｉｌｏｔＰＮをもつＨＤＰ送信が検出されたＨＤＰスロットのリスト、すなわち、特定のＰｉｌｏｔＰＮの観測値のリスト、を維持することができる。端末は、新しい観測値がＰｉｌｏｔＰＮについて得られたときはいつでも、観測値のリストを更新することができる。次いで、端末は、時間的に後方に動作して、観測値のリストと対照してすべての可能なＳｅｃｔｏｒＩＤ候補を評価することができる。
【００４８】
図７は、第２の探索アルゴリズムに基づくＳｅｃｔｏｒＩＤ検出を示す。端末は、パイロットサイクルｓにおけるＨＤＰスロットｚｓ中の特定のＰｉｌｏｔＰＮをもつＨＤＰ送信を検出し得、この新しい観測値を、このＰｉｌｏｔＰＮの観測値のリストに追加することができる。可能なＳｅｃｔｏｒＩＤ  ｉごとに、端末は、検出されたＰｉｌｏｔＰＮ、パイロットサイクルｓ、およびＳｅｃｔｏｒＩＤ  ｉを入力として用いた擬似ランダム関数を実行することができる。端末は、擬似ランダム関数からのｘ（ｓ）を観測値ｚｓと比較し、ｘ（ｓ）＝ｚｓである場合はＳｅｃｔｏｒＩＤ  ｉを候補リストに入れ、他の場合はＳｅｃｔｏｒＩＤ  ｉを廃棄することができる。候補リストが複数のＳｅｃｔｏｒＩＤ候補を含む場合、端末は、前のパイロットサイクルｓ−１における観測値ｚｓ−１に対して候補リストを評価することができる。候補リスト中のＳｅｃｔｏｒＩＤ  ｉごとに、端末は、検出されたＰｉｌｏｔＰＮ、パイロットサイクルｓ−１、およびＳｅｃｔｏｒＩＤ  ｉを入力として用いた擬似ランダム関数を実行することができる。端末は、擬似ランダム関数からのｘ（ｓ−１）を観測値ｚｓ−１と比較し、ｘ（ｓ−１）＝ｚｓ−１である場合は候補リスト中のＳｅｃｔｏｒＩＤ  ｉを保持し、他の場合はＳｅｃｔｏｒＩＤ  ｉを除去することができる。端末は、候補リストが、０のＳｅｃｔｏｒＩＤまたは１つのＳｅｃｔｏｒＩＤのいずれかを含むまで、この処理を反復することができる。候補リストが１つのＳｅｃｔｏｒＩＤを含む場合、このＳｅｃｔｏｒＩＤは、端末によって検出されたセクタのＳｅｃｔｏｒＩＤとして与えられ得る。候補リストが空である場合、観測値のうちの１つまたは複数に対して誤警報が起こっている可能性がある。
【００４９】
第２の探索アルゴリズムは、端末が誤警報の存在下でより迅速にセクタを検出し識別することを可能にすることができる。時間的に後方に動作することによって、第２の探索アルゴリズムは、端末が誤警報後の第１の有効な観測値を用いて探索を開始することを本質的に可能にし、これは検出時間を低減することができる。したがって、端末は、一意にＳｅｃｔｏｒＩＤを決定するのに十分な連続する観測値があるとすぐに、正しいＳｅｃｔｏｒＩＤを検出することができる。
【００５０】
端末は、他の方法でもセクタを検出することができる。たとえば、端末は、連続する順序ではなく擬似ランダムに、観測値のリストから観測値ｚｓを選択することができる。一般に、所与のＰｉｌｏｔＰＮをもつ検出されたＨＤＰ送信の観測値は、たとえば、上述のアルゴリズムのうちの１つまたは何らかの他のアルゴリズムを使用して、ＳｅｃｔｏｒＩＤ候補のリストを絞るために、使用され得る。
【００５１】
ＨＤＰ中でＳｅｃｔｏｒＩＤを送信することは、様々な目的のために有益であり得る。第１に、所与のセクタまたは端末は、様々なタイプの隣接セクタ、たとえば、マクロ、ピコ、およびフェムトセクタを検出し識別することが可能であり得る。セクタまたは端末は、共通パイロットよりもはるかに良好な可聴性をもつ各隣接セクタのＨＤＰからのＰｉｌｏｔＰＮ、ＳｅｃｔｏｒＩＤ、およびタイミング情報を検出することが可能であり得る。セクタは、フェムトとフェムト、フェムトとマクロ、マクロとマクロなどの間で、隣接発見を開始するために、検出されたセクタのＳｅｃｔｏｒＩＤを使用することができる。第２に、セクタは、検出されたセクタのＨＤＰから得られる情報に基づいて自動構成を実行することが可能であり得る。セクタは、隣接発見後、そのＰｉｌｏｔＰＮ、そのＳｅｃｔｏｒＩＤ、および／または他のパラメータを自動的に構成することができる。セクタ（これはフェムトセクタであり得る）は、自動構成の一部として、隣接セクタのロケーションならびに識別情報を決定することが必要なことがある。セクタは、検出された隣接セクタのＳｅｃｔｏｒＩＤを得て、ネットワークエンティティに、たとえば、図１におけるネットワークコントローラ１３０に、報告することができる。ネットワークエンティティは、隣接セクタの報告されたＳｅｃｔｏｒＩＤおよび知られているロケーションに基づいて、上記セクタのロケーション推定値を決定することが可能であり得る。セクタのロケーション推定値は、そのセクタの動作を制御するために、たとえば、そのセクタが動作することができる周波数を決定するために、使用され得る。セクタのロケーション推定値は、そのセクタと通信する端末の位置検出を容易にするためにも使用され得る。隣接セクタのＨＤＰに基づいて得られるロケーション推定値は、（ｉ）ＧＰＳ信号が使用不能であり得る屋内に展開されたフェムト基地局と、（ｉｉ）マクロ基地局からのシステムパラメータメッセージが確実には復号されないことがある不十分なカバレージシナリオにおけるカバレージを改善するために展開されたフェムトおよびピコ基地局と中継局と、にとって特に有益であり得る。
【００５２】
図８は、ワイヤレス通信ネットワークにおいて情報を送信するためのプロセス８００の設計を示す。プロセス８００は、セクタの基地局または何らかの他のエンティティであり得る送信機によって実行され得る。
【００５３】
送信機は、パイロットを介して搬送する第１の情報を決定することができ（ブロック８１２）、絶対時間についての第２の情報をも決定することができる（ブロック８１４）。パイロットは、同じく送信機によって送信され得る共通パイロットよりも大きいカバレージを有するＨＤＰを備えることができる。１つの設計では、第１の情報は、パイロットを送信するセクタのセクタＩＤを備えることができる。１つの設計では、パイロットは、各パイロットサイクルにおいて送信され得、第２の情報は、パイロットサイクルインデックスを備えることができる。第１および第２の情報は、他のタイプの情報をも備えることができる。送信機は、第１および第２の情報に基づいて、パイロットを送信するために使用するためのリソースを決定することができる（ブロック８１６）。それらのリソースはまた、ＰＮオフセット（ＰｉｌｏｔＰＮ）、パイロットスクランブリングコード、物理セルＩＤ、またはセクタに割り当てられる何らかの他のパラメータ、および／あるいは他の情報、にさらに基づいて決定され得る。送信機は、決定されたリソース中でパイロットを送信することができる（ブロック８１８）。
【００５４】
一般に、リソースは、時間リソース（たとえば、スロット）、周波数リソース（たとえば、サブキャリア）、コードリソースなどを備えることができる。１つの設計では、リソースは、スロットを備えることができる。送信機は、たとえば、式（１）または式（２）に示すように、セクタＩＤと、パイロットサイクルインデックスと、ＰＮオフセットと、の擬似ランダム関数に基づいて、各パイロットサイクルにおいてパイロットを送信するために利用可能な複数のスロット（たとえば、９つのスロット）から１つのスロットを選択することができる。次いで、送信機は、決定されたスロット中でパイロットを送信することができる。
【００５５】
１つの設計では、送信機は、第１の情報を複数の部分に分割することができる。次いで、送信機は、第１の情報の複数の部分に基づいて、第１の情報の各部分に対してリソースのセットが１つある、パイロットを送信するために使用するリソースの複数のセットを決定することができる。送信機は、リソースの複数のセット中でパイロットを送信することができる。１つの設計では、送信機は、セクタＩＤを、第１および第２の部分を含む複数の部分に分割することができる。第１の部分は、セクタＩＤのＭ個のＬＳＢ（たとえば、８ＬＳＢ）を含むことができ、第２の部分は、セクタＩＤのＭ個のより上位のビット（たとえば、第９〜第１６のＬＳＢ）を含むことができ、ここで、Ｍ＞１である。送信機は、セクタＩＤの第１の部分とパイロットサイクルインデックスとに基づいて、パイロットサイクルの第１のセットにおいてパイロットを送信するために使用するためのスロットの第１のセットを決定することができる。送信機は、セクタＩＤの第２の部分とパイロットサイクルインデックスとに基づいて、パイロットサイクルの第２のセットにおいてパイロットを送信するために使用するためのスロットの第２のセットを決定することができる。送信機は、（ｉ）パイロットサイクルの第１のセットにおけるスロットの第１のセット中で、および（ｉｉ）パイロットサイクルの第２のセットにおけるスロットの第２のセット中で、パイロットを送信することができる。
【００５６】
図９は、ワイヤレス通信ネットワークにおいて情報を送信するための装置９００の設計を示す。装置９００は、パイロットを介して搬送する第１の情報を決定するためのモジュール９１２と、絶対時間についての第２の情報を決定するためのモジュール９１４と、第１および第２の情報に基づいて、パイロットを送信するために使用するためのリソースを決定するためのモジュール９１６と、決定されたリソース中でパイロットを送信するためのモジュール９１８と、を含む。
【００５７】
図１０は、セクタＩＤを送信するためのプロセス１０００の設計を示す。プロセス１０００は、セクタの基地局または何らかの他のエンティティによって実行され得る。基地局は、セクタのセクタＩＤと、セクタに割り当てられるＰＮオフセット（ＰｉｌｏｔＰＮ）と、各パイロットサイクルのインデックスと、に基づいて、各パイロットサイクルにおいてパイロットを送信するために使用するスロットを決定することができる（ブロック１０１２）。基地局は、各パイロットサイクルにおいて、決定されたスロット中でパイロットを送信することができる（ブロック１０１４）。
【００５８】
図１１は、ワイヤレス通信ネットワークにおいて情報を受信するためのプロセス１１００の設計を示す。プロセス１１００は、端末または何らかの他のエンティティであり得る受信機によって実行され得る。
【００５９】
受信機は、パイロットを送信するために利用可能なリソース中でのパイロットの送信を検出することができる（ブロック１１１２）。パイロットは、共通パイロットよりも広いカバレージを有するＨＤＰを備えることができる。受信機は、パイロットの送信が検出されたリソースを識別することができる（ブロック１１１４）。受信機は、絶対時間についての第２の情報と、パイロットの送信が検出されたリソースについての第３の情報と、に基づいて、パイロットを介して搬送された第１の情報を復元することができる（ブロック１１１６）。
【００６０】
１つの設計では、第１の情報は、セクタＩＤを備えることができる。１つの設計では、パイロットの送信は、各パイロットサイクルにおいてセクタによって送信され得、第２の情報は、パイロットサイクルインデックスを備えることができる。受信機は、衛星からの信号、ワイヤレスネットワーク中の基地局からの信号、ＮＴＰ、および／または他の手段、に基づいて、絶対時間の推定値を得ることができる。１つの設計では、それらのリソースは、スロットを備えることができる。受信機は、パイロットの送信が検出されたスロットを決定し得、これらのスロットに基づいて第１の情報を復元することができる。
【００６１】
ブロック１１１６の１つの設計では、受信機は、潜在的にパイロットを送信する候補セクタのリスト（すなわち、ＳｅｃｔｏｒＩＤ候補のリスト）を決定することができる。受信機は、各候補セクタのセクタＩＤに基づいて、その候補セクタによってパイロットを送信するために使用されるリソースを決定することができる。受信機は、パイロットの送信が検出されたリソースと一致しないリソースを使用する候補セクタを除去することができる。受信機は、パイロットの送信が検出されたリソースと一致するリソースを使用する候補セクタを、パイロットを送信する検出されたセクタとして与えることができる。
【００６２】
１つの設計では、受信機は、各候補セクタによって使用されるリソースを決定し得、各パイロットサイクルにおいて候補セクタを除去することができる。１つの設計では、受信機は、たとえば、図６に示すように、特定のパイロットサイクルから開始することができ、検出されたセクタが決定されるか、または候補セクタのリストが空になるまで、各後続のパイロットサイクルに対して時間的に前方に続くことができる。別の設計では、受信機は、たとえば、図７に示すように、特定のパイロットサイクルから開始することができ、検出されたセクタが決定されるか、または候補セクタのリストが空になるまで、各前のパイロットサイクルに対して時間的に後方に続くことができる。
【００６３】
１つの設計では、受信機は、パイロットの各検出された送信のＰＮオフセットを決定することができる。受信機は、パイロットの少なくとも１つの送信が検出されたＰＮオフセットごとに、上記の処理を実行する（すなわち、候補セクタのリストを決定し、各候補セクタによって使用されるリソースを決定し、候補セクタを除去し、候補セクタを与える）ことができる。
【００６４】
１つの設計では、受信機は、（たとえば、パイロットサイクルの第１のセットにおいて）パイロットの送信が検出されたリソースの第１のセット（たとえば、スロットの第１のセット）を識別することができる。受信機は、（たとえば、パイロットサイクルの第２のセットにおいて）同じくパイロットの送信が検出されたリソースの第２のセット（たとえば、スロットの第２のセット）を識別することができる。受信機は、パイロットの送信が検出されたリソースの第１のセットに基づいて、第１の情報の第１の部分（たとえば、セクタＩＤの第１の部分）を決定することができる。受信機は、パイロットの送信が検出されたリソースの第２のセットに基づいて、第１の情報の第２の部分（たとえば、セクタＩＤの第２の部分）をも決定することができる。
【００６５】
一般に、情報ブロックは、パイロットを介して送信され得る。パイロットを介して潜在的に送信される候補情報ブロックのリストは、決定され得る。候補情報ブロックごとにパイロットを送信するために使用されるリソースは、決定され得る。パイロットの送信が検出されたリソースと一致しないリソースを使用する候補情報ブロックは、除去され得る。パイロットの送信が検出されたリソースと一致するリソースを使用する候補情報ブロックは、パイロットを介して送信される検出された情報ブロックとして与えられ得る。
【００６６】
図１２は、ワイヤレス通信ネットワークにおいて情報を受信するための装置１２００の設計を示す。装置１２００は、パイロットを送信するために利用可能なリソース中でのパイロットの送信を検出するためのモジュール１２１２と、パイロットの送信が検出されたリソースを識別するためのモジュール１２１４と、絶対時間についての第２の情報と、パイロットの送信が検出されたリソースについての第３の情報と、に基づいて、パイロットを介して搬送された第１の情報を復元するためのモジュール１２１６と、を含む。
【００６７】
図１３は、セクタＩＤを決定するためのプロセス１３００の設計を示す。プロセス１３００は、端末または何らかの他のエンティティによって実行され得る。端末は、パイロットを送信するために利用可能なスロット中でのパイロット（たとえば、ＨＤＰ）の送信を検出することができる（ブロック１３１２）。端末は、パイロットの送信が検出されたスロットを識別することができる（ブロック１３１４）。端末は、パイロットの各検出された送信のＰＮオフセットを決定することができる（ブロック１３１６）。パイロットの少なくとも１つの送信が検出されたＰＮオフセットごとに、端末は、（ｉ）ＰＮオフセットと、（ｉｉ）パイロットの送信が検出されたスロットと、（ｉｉｉ）これらのスロットをカバーするパイロットサイクルのインデックスと、に基づいて、このＰＮオフセットをもつパイロットの送信を送信する各セクタのセクタＩＤを復元することができる（ブロック１３１８）。
【００６８】
図９および図１２のモジュールは、プロセッサ、電子デバイス、ハードウェアデバイス、電子コンポーネント、論理回路、メモリ、ソフトウェアコード、ファームウェアコードなど、またはそれらの任意の組合せを備えることができる。
【００６９】
図１４は、図１の基地局の１つであり得る基地局１１０と、図１の端末の１つであり得る端末１２０との設計のブロック図を示す。基地局１１０は、１つまたは複数のセクタをサポートすることができる。基地局１１０は、Ｔ個のアンテナ１４３４ａ〜１４３４ｔを装備され得、端末１２０は、Ｒ個のアンテナ１４５２ａ〜１４５２ｒを装備され得、ここで、一般にＴ≧１およびＲ≧１である。
【００７０】
基地局１１０において、送信プロセッサ１４２０は、データソース１４１２から１つまたは複数の端末についてのデータを受信し、端末ごとにそのデータを処理（たとえば、符号化、インターリーブ、およびシンボルマッピング）し、データシンボルをすべての端末に供給することができる。送信プロセッサ１４２０はまた、コントローラ／プロセッサ１４４０からの制御情報を処理し、制御シンボルを与えることができる。送信プロセッサ１４２０はまた、セクタごとにＨＤＰ、共通パイロット、および／または他のパイロットのためのパイロットシンボルあるいは基準信号を生成し得、図５における送信機５００を実装することができる。送信（ＴＸ）多入力多出力（ＭＩＭＯ）プロセッサ１４３０は、適用可能な場合は、データシンボル、制御シンボル、および／またはパイロットシンボルに対してプリコーディングを実行することができる。プロセッサ１４３０は、Ｔ個の出力シンボルストリームをＴ個の変調器（ＭＯＤ）１４３２ａ〜１４３２ｔに供給することができる。各変調器１４３２は、出力サンプルストリームを得るために、それぞれの（たとえば、ＣＤＭＡ、ＯＦＤＭなどの）出力シンボルストリームを処理することができる。各変調器１４３２は、順方向リンク信号を得るために、出力サンプルストリームをさらに処理（たとえば、アナログに変換、増幅、フィルタリング、およびアップコンバート）することができる。変調器１４３２ａ〜１４３２ｔからのＴ個の順方向リンク信号は、それぞれＴ個のアンテナ１４３４ａ〜１４３４ｔを介して送信され得る。
【００７１】
端末１２０において、アンテナ１４５２ａ〜１４５２ｒは、基地局１１０から順方向リンク信号を受信し得、受信信号をそれぞれ復調器（ＤＥＭＯＤ）１４５４ａ〜１４５４ｒに供給することができる。各復調器１４５４は、入力サンプルを得るために、それぞれの受信信号を調整（たとえば、フィルタ処理、増幅、ダウンコンバート、およびデジタル化）することができる。各復調器１４５４は、受信シンボルを得るために、（たとえば、ＣＤＭＡ、ＯＦＤＭなどの）入力サンプルをさらに処理することができる。ＭＩＭＯ検出器１４５６は、受信シンボルをすべてのＲ個の復調器１４５４ａ〜１４５４ｒから得て、適用可能な場合は受信シンボルに対して受信機空間処理（receiver spatial processing）を実行し、検出されたシンボルを与えることができる。受信プロセッサ１４５８は、検出されたシンボルを処理（たとえば、復調、デインターリーブ、および復号）し、端末１２０のための復号されたデータをデータシンク１４６０に供給し、復号された制御情報をコントローラ／プロセッサ１４８０に供給することができる。プロセッサ１４５８はまた、パイロット（たとえば、ＨＤＰ）を介して搬送された情報（たとえば、セクタＩＤ）を検出することができる。
【００７２】
逆方向リンク上で、端末１２０において、送信プロセッサ１４６４は、データソース１４６２からのデータを受信および処理し得、コントローラ／プロセッサ１４８０からの情報を制御することができる。送信プロセッサ１４６４はまた、パイロットシンボルを生成することができる。送信プロセッサ１４６４からのそれらのシンボルは、適用可能な場合はＴＸ  ＭＩＭＯプロセッサ１４６６によってプリコードされ、変調器１４５４ａ〜１４５４ｒによってさらに処理され、基地局１１０に送信され得る。基地局１１０において、端末１２０からの逆方向リンク信号は、端末１２０によって送信された復号データおよび制御データを得るために、アンテナ１４３４によって受信され、復調器１４３２によって処理され、適用可能な場合はＭＩＭＯ検出器１４３６によって検出され、受信プロセッサ１４３８によってさらに処理され得る。
【００７３】
コントローラ／プロセッサ１４４０および１４８０はそれぞれ、基地局１１０および端末１２０における動作を指示することができる。基地局１１０におけるプロセッサ１４２０ならびに／または他のプロセッサおよびモジュールは、図８のプロセス８００、図１０のプロセス１０００、および／または本明細書で説明される技法の他のプロセスを実行するか、または指示することができる。端末１２０におけるプロセッサ１４５８ならびに／または他のプロセッサおよびモジュールは、図１１のプロセス１１００、図１３のプロセス１３００、および／または本明細書で説明される技法の他のプロセスを実行するか、または指示することができる。メモリ１４４２および１４８２はそれぞれ、基地局１１０および端末１２０のためのデータおよびプログラムコードを記憶することができる。スケジューラ１４４４は、順方向リンクおよび／または逆方向リンク上のデータ送信について端末をスケジュールすることができ、スケジュールされた端末にリソース許可を与えることができる。
【００７４】
当業者は、情報および信号が様々な異なる技術および技法のいずれかを使用して表され得ることを理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７５】
当業者は、さらに、本明細書での開示に関連して説明された様々な例示的な論理ブロック、モジュール、回路、およびアルゴリズムステップは、電子ハードウェア、コンピュータソフトウェア、または両方の組合せとして実装され得ることを諒解されよう。ハードウェアとソフトウェアのこの互換性を明確に示すために、様々な例示的なコンポーネント、ブロック、モジュール、回路、およびステップは、上記では概してそれらの機能に関して説明されている。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じると解釈されるべきではない。
【００７６】
本明細書での開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートもしくはトランジスタロジック、個別ハードウェアコンポーネント、あるいは本明細書で説明された機能を実行するために設計されたそれらの任意の組合せ、を用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成、として実装され得る。
【００７７】
本明細書での開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体、に常駐し得る。例示的な記憶媒体は、プロセッサが記憶媒体から情報を読み取り、記憶媒体に情報を書き込むことができるようにプロセッサに結合される。代替として、記憶媒体は、プロセッサに一体化され得る。プロセッサおよび記憶媒体は、ＡＳＩＣに常駐し得る。ＡＳＩＣは、ユーザ端末に常駐し得る。代替として、プロセッサおよび記憶媒体は、個別コンポーネントとしてユーザ端末に常駐し得る。
【００７８】
１つまたは複数の例示的な設計では、説明される機能は、ハードウェア、ソフトウェア、ファームウェア、またはそれらの組合せで実装し得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭあるいは他の光ディスク記憶装置、磁気ディスク記憶装置または他の磁気記憶デバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ここで、ディスク（disk）は、通常、データを磁気的に再生し、ディスク（disc）は、データをレーザで光学的に再生する。上記の組合せもコンピュータ可読媒体の範囲内に含まれるべきである。
【００７９】
本開示の前述の説明は、当業者が本開示を実施または使用できるようにするために提供されるものである。本開示への様々な変更は当業者には容易に明らかであり、本明細書で定義された一般的原理は、本開示の趣旨または範囲から逸脱することなく他の変形形態に適用され得る。したがって、本開示は、本明細書で説明された例および設計に限定されるものではなく、本明細書で開示された原理および新規の特徴に一致する最も広い範囲を与えられるべきである。
以下に、本願出願の当初の特許請求の範囲に記載された発明を付記する。
（１）  ワイヤレス通信ネットワークにおいて情報を送信する方法であって、
パイロットを介して搬送するための第１の情報を決定することと、
絶対時間についての第２の情報を決定することと、
前記第１および第２の情報に基づいて、前記パイロットを送信するために使用するためのリソースを決定することと、
前記決定されたリソース中で前記パイロットを送信することと、
を備える方法。
（２）  前記パイロットを送信するために使用するための前記リソースを前記決定することは、前記パイロットを送信するために使用するためのスロットを決定することを備え、前記パイロットを前記送信することは、前記決定されたスロット中で前記パイロットを送信することを備える、（１）に記載の方法。
（３）  前記第１の情報は、前記パイロットを送信するセクタのセクタ識別情報（ＩＤ）を備える、（１）に記載の方法。
（４）  前記パイロットは、各パイロットサイクルにおいて送信され、前記第２の情報は、パイロットサイクルインデックスを備える、（３）に記載の方法。
（５）  前記パイロットを送信するために使用するための前記リソースは、前記パイロットを送信するセクタに割り当てられる擬似乱数（ＰＮ）オフセットにさらに基づいて決定される、（１）に記載の方法。
（６）  前記パイロットを送信するために使用するための前記リソースを前記決定することは、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択することを備える、（４）に記載の方法。
（７）  前記第１の情報を複数の部分に分割することをさらに備え、
前記パイロットを送信するために使用するための前記リソースを前記決定することは、前記第１の情報の前記複数の部分に基づいて、前記パイロットを送信するために使用するためのリソースの複数のセットを決定することを備え、前記第１の情報の各部分に対してリソースのセットが１つあり、前記パイロットを前記送信することは、リソースの前記複数のセット中で前記パイロットを送信することを備える、
（１）に記載の方法。
（８）  前記第１の情報は、前記パイロットを送信するセクタのセクタ識別情報（ＩＤ）を備え、前記第１の情報の各部分は、前記セクタＩＤの異なる部分を備える、（７）に記載の方法。
（９）  前記セクタＩＤを、第１の部分と第２の部分とを備える複数の部分に分割することをさらに備え、前記第１の部分は、前記セクタＩＤのＭ個の最下位ビット（ＬＳＢ）を備え、前記第２の部分は、前記セクタＩＤのＭ個のより上位のビットを備え、Ｍが１よりも大きい整数であり、
前記パイロットを送信するために使用するための前記リソースを前記決定することは、
前記セクタＩＤの前記第１の部分と前記パイロットサイクルインデックスとに基づいて、パイロットサイクルの第１のセットにおいて前記パイロットを送信するために使用するためのスロットの第１のセットを決定することと、
前記セクタＩＤの前記第２の部分と前記パイロットサイクルインデックスとに基づいて、パイロットサイクルの第２のセットにおいて前記パイロットを送信するために使用するためのスロットの第２のセットを決定することと、
を備え、
前記パイロットを前記送信することは、
パイロットサイクルの前記第１のセットにおけるスロットの前記第１のセット中で前記パイロットを送信することと、
パイロットサイクルの前記第２のセットにおけるスロットの前記第２のセット中で前記パイロットを送信することと、
を備える、（４）に記載の方法。
（１０）  前記パイロットは、高度に検出可能なパイロット（ＨＤＰ）を備え、前記方法は、
前記ＨＤＰよりも小さいカバレージを有する共通パイロットを送信することをさらに備える、（１）に記載の方法。
（１１）  ワイヤレス通信のための装置であって、
パイロットを介して搬送するための第１の情報を決定するための手段と、
絶対時間についての第２の情報を決定するための手段と、
前記第１および第２の情報に基づいて、前記パイロットを送信するために使用するためのリソースを決定するための手段と、
前記決定されたリソース中で前記パイロットを送信するための手段と、
を備える装置。
（１２）  前記パイロットを送信するために使用するための前記リソースを決定するための前記手段は、前記パイロットを送信するために使用するためのスロットを決定するための手段を備え、前記パイロットを送信するための前記手段は、前記決定されたスロット中で前記パイロットを送信するための手段を備える、（１１）に記載の装置。
（１３）  前記第１の情報は、前記パイロットを送信するセクタのセクタ識別情報（ＩＤ）を備え、前記パイロットは、各パイロットサイクルにおいて送信され、前記第２の情報は、パイロットサイクルインデックスを備える、（１１）に記載の装置。
（１４）  前記パイロットを送信するために使用するための前記リソースを決定するための前記手段は、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択するための手段を備える、（１３）に記載の装置。
（１５）  前記第１の情報を複数の部分に分割するための手段をさらに備え、
前記パイロットを送信するために使用するための前記リソースを決定するための前記手段は、前記第１の情報の前記複数の部分に基づいて、前記パイロットを送信するために使用するリソースの複数のセットを決定するための手段を備え、前記第１の情報の各部分に対してリソースのセットが１つあり、
前記パイロットを送信するための前記手段は、リソースの前記複数のセット中で前記パイロットを送信するための手段を備える、
（１１）に記載の装置。
（１６）  ワイヤレス通信のための装置であって、
パイロットを介して搬送するための第１の情報を決定することと、絶対時間についての第２の情報を決定することと、前記第１および第２の情報に基づいて、前記パイロットを送信するために使用するためのリソースを決定することと、前記決定されたリソース中で前記パイロットを送信することと、を行うように構成された少なくとも１つのプロセッサ、
を備える装置。
（１７）  前記少なくとも１つのプロセッサは、前記パイロットを送信するために使用するためのスロットを決定することと、前記決定されたスロット中で前記パイロットを送信することと、を行うように構成される、（１６）に記載の装置。
（１８）  前記第１の情報は、前記パイロットを送信するセクタのセクタ識別情報（ＩＤ）を備え、前記パイロットは、各パイロットサイクルにおいて送信され、前記第２の情報は、パイロットサイクルインデックスを備える、（１６）に記載の装置。
（１９）  前記少なくとも１つのプロセッサは、前記セクタＩＤと、前記パイロットサイクルインデックスと、前記パイロットを送信する前記セクタに割り当てられる擬似乱数（ＰＮ）オフセットと、の擬似ランダム関数に基づいて、各パイロットサイクルにおいて前記パイロットを送信するために利用可能な複数のスロットから１つのスロットを選択するように構成される、（１８）に記載の装置。
（２０）  前記少なくとも１つのプロセッサは、前記第１の情報を複数の部分に分割することと、前記第１の情報の前記複数の部分に基づいて、前記第１の情報の各部分に対してリソースのセットが１つある前記パイロットを送信するために使用するためのリソースの複数のセットを決定することと、リソースの前記複数のセット中で前記パイロットを送信することと、を行うように構成される、（１６）に記載の装置。
（２１）  パイロットを介して搬送するための第１の情報を決定することを少なくとも１つのコンピュータに行わせるためのコードと、
絶対時間についての第２の情報を決定することを前記少なくとも１つのコンピュータに行わせるためのコードと、
前記第１および第２の情報に基づいて、前記パイロットを送信するために使用するためのリソースを決定することを前記少なくとも１つのコンピュータに行わせるためのコードと、
前記決定されたリソース中で前記パイロットを送信することを前記少なくとも１つのコンピュータに行わせるためのコードと、
を備えるコンピュータプログラム。
（２２）  ワイヤレス通信ネットワークにおいて情報を送信する方法であって、
セクタのセクタ識別情報（ＩＤ）と、前記セクタに割り当てられる擬似乱数（ＰＮ）オフセットと、各パイロットサイクルのインデックスと、に基づいて、各パイロットサイクルにおいてパイロットを送信するために使用するためのスロットを決定することと、
各パイロットサイクルにおける前記決定されたスロット中で前記パイロットを送信することと、
を備える方法。
（２３）  前記セクタＩＤを、各部分が前記セクタＩＤの異なる部分を備える、複数の部分に分割することをさらに備え、
各パイロットサイクルにおいて前記パイロットを送信するために使用するための前記スロットを前記決定することは、前記セクタＩＤの前記複数の部分に基づいて、パイロットサイクルの複数のセットにおいて前記パイロットを送信するために使用するためのスロットの複数のセットを決定することを備え、前記セクタＩＤの各部分に対してパイロットサイクルの１つセットにおけるスロットのセットが１つあり、
前記パイロットを前記送信することは、スロットの前記複数のセット中で前記パイロットを送信することを備える、
（２２）に記載の方法。
（２４）  ワイヤレス通信ネットワークにおいて情報を受信する方法であって、
パイロットを送信するために利用可能なリソース中での前記パイロットの送信を検出することと、
前記パイロットの送信が検出されたリソースを識別することと、
絶対時間についての第２の情報と、前記パイロットの前記送信が検出された前記リソースについての第３の情報と、に基づいて、前記パイロットを介して搬送された第１の情報を復元することと、
を備える方法。
（２５）  前記リソースを前記識別することは、前記パイロットの前記送信が検出されたスロットを識別することを備え、前記第１の情報を前記復元することは、前記パイロットの前記送信が検出された前記スロットに基づいて前記第１の情報を復元することを備える、（２４）に記載の方法。
（２６）  前記第１の情報は、セクタ識別情報（ＩＤ）を備える、（２４）に記載の方法。
（２７）  前記パイロットの送信は、各パイロットサイクルにおいてセクタによって送信され、前記第２の情報は、パイロットサイクルインデックスを備える、（２６）に記載の方法。
（２８）  衛星からの信号、またはワイヤレスネットワーク中の基地局からの信号、またはネットワークタイムプロトコル（ＮＴＰ）、に基づいて絶対時間の推定値を得ることをさらに備える、
（２４）に記載の方法。
（２９）  前記パイロットの前記検出された送信に基づいて、セクタに割り当てられる擬似乱数（ＰＮ）オフセットを決定することをさらに備え、
前記第１の情報を前記復元することは、前記ＰＮオフセットにさらに基づいて前記第１の情報を復元することを備える
（２４）に記載の方法。
（３０）  前記第１の情報を前記復元することは、
潜在的に前記パイロットを送信する候補セクタのリストを決定することと、
各候補セクタのセクタＩＤに基づいて、各候補セクタによって前記パイロットを送信するために使用されるためのリソースを決定することと、
前記パイロットの前記送信が検出された前記リソースと一致しないリソースを使用する候補セクタを除去することと、
前記パイロットの前記送信が検出された前記リソースと一致するリソースを使用する候補セクタを、前記パイロットを送信する検出されたセクタとして与えることと、
を備える、（２６）に記載の方法。
（３１）  前記ワイヤレスネットワーク中の各セクタは、前記パイロットの送信を生成するために使用される特定の擬似乱数（ＰＮ）オフセットを割り当てられ、前記第１の情報を前記復元することは、
前記パイロットの各検出された送信のＰＮオフセットを決定することと、
前記パイロットの少なくとも１つの送信が検出されたＰＮオフセットごとに、候補セクタのリストを前記決定すること、各候補セクタによって使用されるリソースを前記決定すること、候補セクタを前記除去すること、および候補セクタを前記与えることと、を実行することと、
をさらに備える、（３０）に記載の方法。
（３２）  前記パイロットの送信は、各パイロットサイクルにおいてセクタによって送信され、各候補セクタによって使用される前記リソースを前記決定することおよび候補セクタを前記除去することは、各パイロットサイクルにおいて実行され、特定のパイロットサイクルから開始し、前記検出されたセクタが決定されるか、または候補セクタの前記リストが空になるまで、各後続のパイロットサイクルに対して時間的に前方に続く、（３０）に記載の方法。
（３３）  前記パイロットの送信は、各パイロットサイクルにおいてセクタによって送信され、各候補セクタによって使用される前記リソースを前記決定することおよび候補セクタを前記除去することは、各パイロットサイクルにおいて実行され、特定のパイロットサイクルから開始し、前記検出されたセクタが決定されるか、または候補セクタの前記リストが空になるまで、各前のパイロットサイクルに対して時間的に後方に続く、（３０）に記載の方法。
（３４）  前記第１の情報を前記復元することは、
前記パイロットを介して潜在的に送信される候補情報ブロックのリストを決定することと、
候補情報ブロックごとに前記パイロットを送信するために使用されるリソースを決定することと、
前記パイロットの前記送信が検出された前記リソースと一致しないリソースを使用する候補情報ブロックを除去することと、
前記パイロットの前記送信が検出された前記リソースと一致するリソースを使用する候補情報ブロックを、前記パイロットを介して送信される検出された情報ブロックとして与えることと、
を備える、（２４）に記載の方法。
（３５）  前記リソースを前記識別することは、
前記パイロットの送信が検出されたリソースの第１のセットを識別することと、
前記パイロットの送信が検出されたリソースの第２のセットを識別することと、
を備え、
前記第１の情報を前記復元することは、
前記パイロットの前記送信が検出されたリソースの前記第１のセットに基づいて前記第１の情報の第１の部分を決定することと、
前記パイロットの前記送信が検出されたリソースの前記第２のセットに基づいて前記第１の情報の第２の部分を決定することと、
を備える、（２４）に記載の方法。
（３６）  前記第１の情報は、セクタ識別情報（ＩＤ）を備え、前記第１の情報の各部分は、前記セクタＩＤの異なる部分を備える、（３５）に記載の方法。
（３７）  前記リソースを前記識別することは、
パイロットサイクルの第１のセットにおいて前記パイロットの送信が検出されたスロットの第１のセットを識別することと、
パイロットサイクルの第２のセットにおいて前記パイロットの送信が検出されたスロットの第２のセットを識別することと、
を備え、
前記第１の情報を前記復元することが、
前記パイロットの前記送信が検出されたスロットの前記第１のセットに基づいて前記セクタＩＤの第１の部分を決定することと、
前記パイロットの前記送信が検出されたスロットの前記第２のセットに基づいて前記セクタＩＤの第２の部分を決定することと、
を備える、（２７）に記載の方法。
（３８）  前記パイロットは、共通パイロットよりも広いカバレージを有する、高度に検出可能なパイロット（ＨＤＰ）を備える、（２４）に記載の方法。
（３９）  ワイヤレス通信のための装置であって、
パイロットを送信するために利用可能なリソース中での前記パイロットの送信を検出するための手段と、
前記パイロットの送信が検出されたリソースを識別するための手段と、
絶対時間についての第２の情報と、前記パイロットの前記送信が検出された前記リソースについての第３の情報と、に基づいて、前記パイロットを介して搬送された第１の情報を復元するための手段と、
を備える装置。
（４０）  前記リソースを識別するための前記手段は、前記パイロットの前記送信が検出されたスロットを識別するための手段を備え、前記第１の情報を復元するための前記手段は、前記パイロットの前記送信が検出された前記スロットに基づいて前記第１の情報を復元するための手段を備える、（３９）に記載の装置。
（４１）  前記第１の情報は、セクタ識別情報（ＩＤ）を備え、前記パイロットの送信は、各パイロットサイクルにおいてセクタによって送信され、前記第２の情報は、パイロットサイクルインデックスを備える、（３９）に記載の装置。
（４２）  前記第１の情報を復元するための前記手段は、
潜在的に前記パイロットを送信する候補セクタのリストを決定するための手段と、
各候補セクタのセクタ識別情報（ＩＤ）に基づいて、前記候補セクタによって前記パイロットを送信するために使用されるリソースを決定するための手段と、
前記パイロットの前記送信が検出された前記リソースと一致しないリソースを使用する候補セクタを除去するための手段と、
前記パイロットの前記送信が検出された前記リソースと一致するリソースを使用する候補セクタを、前記パイロットを送信する検出されたセクタとして与えるための手段と、
を備える、（３９）に記載の装置。
（４３）  前記リソースを識別するための前記手段は、
前記パイロットの送信が検出されたリソースの第１のセットを識別するための手段と、
前記パイロットの送信が検出されたリソースの第２のセットを識別するための手段と、
を備え、
前記第１の情報を復元するための前記手段は、
前記パイロットの前記送信が検出されたリソースの前記第１のセットに基づいて前記第１の情報の第１の部分を決定するための手段と、
前記パイロットの前記送信が検出されたリソースの前記第２のセットに基づいて前記第１の情報の第２の部分を決定するための手段と、
を備える、（３９）に記載の装置。
（４４）  ワイヤレス通信のための装置であって、
パイロットを送信するために利用可能なリソース中での前記パイロットの送信を検出することと、前記パイロットの送信が検出されたリソースを識別することと、絶対時間についての第２の情報と、前記パイロットの前記送信が検出された前記リソースについての第３の情報と、に基づいて、前記パイロットを介して搬送された第１の情報を復元することと、を行うように構成された少なくとも１つのプロセッサ、
を備える装置。
（４５）  前記少なくとも１つのプロセッサは、前記パイロットの前記送信が検出されたスロットを識別することと、前記パイロットの前記送信が検出された前記スロットに基づいて前記第１の情報を復元することと、を行うように構成される、（４４）に記載の装置。
（４６）  前記第１の情報は、セクタ識別情報（ＩＤ）を備え、前記パイロットの送信は、各パイロットサイクルにおいてセクタによって送信され、前記第２の情報は、パイロットサイクルインデックスを備える、（４４）に記載の装置。
（４７）  前記少なくとも１つのプロセッサは、潜在的に前記パイロットを送信する候補セクタのリストを決定することと、各候補セクタのセクタ識別情報（ＩＤ）に基づいて、前記候補セクタによって前記パイロットを送信するために使用されるリソースを決定することと、前記パイロットの前記送信が検出された前記リソースと一致しないリソースを使用する候補セクタを除去することと、前記パイロットの前記送信が検出された前記リソースと一致するリソースを使用する候補セクタを、前記パイロットを送信する検出されたセクタとして与えることと、を行うように構成される、（４４）に記載の装置。
（４８）  前記少なくとも１つのプロセッサは、前記パイロットの送信が検出されたリソースの第１のセットを識別することと、前記パイロットの送信が検出されたリソースの第２のセットを識別することと、前記パイロットの前記送信が検出されたリソースの前記第１のセットに基づいて前記第１の情報の第１の部分を決定することと、前記パイロットの前記送信が検出されたリソースの前記第２のセットに基づいて前記第１の情報の第２の部分を決定することと、を行うように構成される、（４４）に記載の装置。
（４９）  パイロットを送信するために利用可能なリソース中での前記パイロットの送信を検出することを少なくとも１つのコンピュータに行わせるためのコードと、
前記パイロットの送信が検出されたリソースを識別することを前記少なくとも１つのコンピュータに行わせるためのコードと、
絶対時間についての第２の情報と、前記パイロットの前記送信が検出された前記リソースについての第３の情報と、に基づいて、前記パイロットを介して搬送された第１の情報を復元することを前記少なくとも１つのコンピュータに行わせるためのコードと、
を備えるコンピュータプログラム。
（５０）  ワイヤレス通信ネットワークにおいて情報を受信する方法であって、
パイロットを送信するために利用可能なスロット中での前記パイロットの送信を検出することと、
前記パイロットの送信が検出されたスロットを識別することと、
前記パイロットの各検出された送信の擬似乱数（ＰＮ）オフセットを決定することと、
前記パイロットの少なくとも１つの送信が検出されたＰＮオフセットごとに、前記ＰＮオフセットと、前記パイロットの送信が検出された前記スロットと、前記スロットをカバーするパイロットサイクルのインデックスと、に基づいて、前記パイロットの前記送信を送信する各セクタのセクタ識別情報（ＩＤ）を復元することと、
を備える方法。
（５１）  前記セクタＩＤを前記復元することは、
前記ＰＮオフセットと、前記パイロットの前記送信が検出されたスロットの第１のセットと、スロットの前記第１のセットをカバーするパイロットサイクルの第１のセットのインデックスと、に基づいて、前記セクタＩＤの第１の部分を復元することと、
前記ＰＮオフセットと、前記パイロットの前記送信が検出されたスロットの第２のセットと、スロットの前記第２のセットをカバーするパイロットサイクルの第２のセットのインデックスと、に基づいて、前記セクタＩＤの第２の部分を復元することと、
を備える、（５０）に記載の方法。
【図１】
0005559155.tif 000004
【図２】
0005559155.tif 000005
【図３】
0005559155.tif 000006
【図４】
0005559155.tif 000007
【図５】
0005559155.tif 000008
【図６】
0005559155.tif 000009
【図７】
0005559155.tif 000010
【図８】
0005559155.tif 000011
【図９】
0005559155.tif 000012
【図１０】
0005559155.tif 000013
【図１１】
0005559155.tif 000014
【図１２】
0005559155.tif 000015
【図１３】
0005559155.tif 000016
【図１４】
0005559155.tif 000017